(57)【要約】  本発明の実施例は、信号伝送方法、信号復号化方法、基地局、及びユーザ端末を提供している。この信号伝送方法は、第１のデータ信号に対して、圧縮制御信号を生成し、前記第１のデータ信号及び前記圧縮制御信号に対して、統合チャネルエレメントを構築し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれなく、前記統合チャネルエレメントと、他の信号を伝送するためのチャネルエレメントとを、通信リソースにおいて多重化し、割り当てられた通信リソースを用いて、該統合チャネルエレメントの信号を伝送する、ことを含む。
2019518366.tif 000002
【特許請求の範囲】
【請求項１】
信号伝送方法であって、
第１のデータ信号に対して、圧縮制御信号を生成し、前記第１のデータ信号及び前記圧縮制御信号に対して、統合チャネルエレメントを構築し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれず、
前記統合チャネルエレメントと、他の信号を伝送するためのチャネルエレメントとを、通信リソースにおいて多重化し、割り当てられた通信リソースを用いて、該統合チャネルエレメントの信号を伝送する、
ことを含むことを特徴とする方法。
【請求項２】
前記圧縮制御信号には、アンテナポート指示フィールドが含まれないことを特徴とする請求項１に記載の方法。
【請求項３】
前記第１のデータ信号に対して、圧縮制御信号を生成することは、
前記圧縮制御信号に、該第１のデータ信号の長さを指示するためのデータ信号長さ指示子を設ける、ことを含む、
ことを特徴とする請求項１に記載の方法。
【請求項４】
前記第１のデータ信号に対して、圧縮制御信号を生成することは、
前記圧縮制御信号に、該第１のユーザが使用する変調符号化方式（ＭＣＳ）を指示するためのＭＣＳ情報を設け、ここで、前記ＭＣＳ情報が、完全ＭＣＳテーブル又は簡略化ＭＣＳテーブルの中から選択される、ことをさらに含む、
ことを特徴とする請求項３に記載の方法。
【請求項５】
前記第１のデータ信号に対して、圧縮制御信号を生成することは、
前記圧縮制御信号に、制御信号のタイプを指示するための圧縮下りリンク制御情報（ＤＣＩ）指示子を設ける、ことをさらに含む、
ことを特徴とする請求項３又は４に記載の方法。
【請求項６】
記第１のデータ信号に対して、圧縮制御信号を生成することは、
記第１のデータ信号のデータサイズが第１の長さ以下である場合、前記第１のデータ信号に対して、前記圧縮制御信号を生成する、ことを含む、
ことを特徴とする請求項１に記載の方法。
【請求項７】
前記第１のデータ信号及び前記圧縮制御信号に対して、統合チャネルエレメントを構築することは、
前記圧縮制御信号を前記統合チャネルエレメントの先頭内容に設定し、
前記圧縮制御信号の正確性を検査するための第１の検査フィールドを生成し、前記第１の検査フィールドを前記圧縮制御信号の後に設け、
前記第１のデータ信号を、前記統合チャネルエレメントにおいて前記第１の検査フィールドの後に位置するように設ける、ことを含む、
ことを特徴とする請求項１に記載の方法。
【請求項８】
前記第１のデータ信号及び前記圧縮制御信号に対して、統合チャネルエレメントを構築することは、
前記圧縮制御信号、前記第１の検査フィールド、及び前記第１のデータ信号を検査するための第２の検査フィールドを生成し、前記第２の検査フィールドを、前記統合チャネルエレメントにおいて前記第１のデータ信号の後に位置するように設ける、ことをさらに含む、
ことを特徴とする請求項７に記載の方法。
【請求項９】
前記統合チャネルエレメントと、他の信号を伝送するためのチャネルエレメントとを、通信リソースにおいて多重化することは、
時間領域において、該統合チャネルエレメントの後にガード期間を設け、前記第１のユーザの上り制御チャネルエレメントを前記ガード期間の後に設ける、ことを含む、
ことを特徴とする請求項１に記載の方法。
【請求項１０】
前記統合チャネルエレメントと、他の信号を伝送するためのチャネルエレメントとを、通信リソースにおいて多重化することは、
前記統合チャネルエレメントと前記ガード期間との間に、第２のユーザのデータ信号を伝送するための第２のデータチャネルエレメントを設ける、ことをさらに含む、
ことを特徴とする請求項９に記載の方法。
【請求項１１】
前記統合チャネルエレメントと、他の信号を伝送するためのチャネルエレメントとを、通信リソースにおいて多重化することは、
第３のユーザの下り制御信号を伝送するための制御チャネルエレメント、及び前記統合チャネルエレメントに対して、第１の時間セグメント内の異なる周波数リソースを割り当て、
前記第３のユーザのデータ信号を伝送するための第３のデータチャネルエレメントを前記第１の時間セグメントの後に設け、
前記第１のユーザの上り制御チャネルエレメントをガード期間又は前記第３のデータチャネルエレメントの後に設ける、ことを含む、
ことを特徴とする請求項１に記載の方法。
【請求項１２】
前記統合チャネルエレメントと、他の信号を伝送するためのチャネルエレメントとを、通信リソースにおいて多重化することは、
第４のユーザの下り制御信号を伝送するための制御チャネルエレメント、及び前記統合チャネルエレメントに対して、第１の時間セグメント内の異なる空間分割多重化層を割り当て、
前記第４のユーザのデータ信号を伝送するための第４のデータチャネルエレメントを前記第１の時間セグメントの後に設け、
前記第１のユーザの上り制御チャネルエレメントをガード期間又は前記第４のデータチャネルエレメントの後に設ける、ことを含む、
ことを特徴とする請求項１に記載の方法。
【請求項１３】
信号復号化方法であって、
制御信号の開始位置及び信号長さに基づいて、受信された信号を復号化して、前記制御信号を得、
第１の検査フィールドを抽出して該制御信号を検査し、前記第１の検査フィールドの検査をパスした場合、前記制御信号が圧縮制御信号であると決定し、該圧縮制御信号に付けられた信号長さに基づいて、該制御信号とは同一の統合チャネルエレメントに位置する第１のデータ信号を復号化し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれない、
ことを含むことを特徴とする方法。
【請求項１４】
第２の検査フィールドを抽出して該制御信号及び該第１のデータ信号を検査する、
ことをさらに含むことを特徴とする請求項１３に記載の方法。
【請求項１５】
基地局であって、
第１のデータ信号に対して、圧縮制御信号を生成し、前記第１のデータ信号及び前記圧縮制御信号に対して、統合チャネルエレメントを構築し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれない構築手段と、
前記統合チャネルエレメントと、他の信号を伝送するためのチャネルエレメントとを、通信リソースにおいて多重化し、割り当てられた通信リソースを用いて、該統合チャネルエレメントの信号を伝送する多重化手段と、
を備えることを特徴とする基地局。
【請求項１６】
前記構築手段は、
前記圧縮制御信号に、該第１のデータ信号の長さを指示するためのデータ信号長さ指示子を設け、
前記圧縮制御信号に、該第１のユーザが使用する変調符号化方式（ＭＣＳ）を指示するためのＭＣＳ情報を設け、ここで、前記ＭＣＳ情報が、完全ＭＣＳテーブル又は簡略化ＭＣＳテーブルの中から選択され、
前記圧縮制御信号に、制御信号のタイプを指示するための圧縮下りリンク制御情報（ＤＣＩ）指示子を設ける、
ことを特徴とする請求項１５に記載の基地局。
【請求項１７】
前記構築手段は、
前記圧縮制御信号を前記統合チャネルエレメントの先頭内容に設定し、
前記圧縮制御信号の正確性を検査するための第１の検査フィールドを生成し、前記第１の検査フィールドを前記圧縮制御信号の後に設け、
前記第１のデータ信号を、前記統合チャネルエレメントにおいて前記第１の検査フィールドの後に位置するように設ける、
ことを特徴とする請求項１５に記載の基地局。
【請求項１８】
前記構築手段は、さらに、
前記圧縮制御信号、前記第１の検査フィールド、及び前記第１のデータ信号を検査するための第２の検査フィールドを生成し、前記第２の検査フィールドを、前記統合チャネルエレメントにおいて前記第１のデータ信号の後に位置するように設ける、
ことを特徴とする請求項１７に記載の基地局。
【請求項１９】
前記多重化手段は、
時間領域において、該統合チャネルエレメントの後にガード期間を設け、前記第１のユーザの上り制御チャネルエレメントを前記ガード期間の後に設け、
前記統合チャネルエレメントと前記ガード期間との間に、第２のユーザのデータ信号を伝送するための第２のデータチャネルエレメントを設ける、
ことを特徴とする請求項１５に記載の基地局。
【請求項２０】
前記多重化手段は、
第３のユーザの下り制御信号を伝送するための制御チャネルエレメント、及び前記統合チャネルエレメントに対して、第１の時間セグメント内の異なる周波数リソースを割り当て、
前記第３のユーザのデータ信号を伝送するための第３のデータチャネルエレメントを前記第１の時間セグメントの後に設け、
前記第１のユーザの上り制御チャネルエレメントをガード期間又は前記第３のデータチャネルエレメントの後に設ける、
ことを特徴とする請求項１５に記載の基地局。
【請求項２１】
ユーザ端末であって、
制御信号の開始位置及び信号長さに基づいて、受信された信号を復号化して、前記制御信号を得る制御信号復号化手段と、
第１の検査フィールドを抽出して該制御信号を検査し、検査結果をデータ信号復号化手段に送信する第１の検査手段と、
前記第１の検査フィールドの検査をパスした場合、前記制御信号が圧縮制御信号であると決定し、該圧縮制御信号に付けられた信号長さに基づいて、該圧縮制御信号とは同一の統合チャネルエレメントに位置する第１のデータ信号を復号化し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれない前記データ信号復号化手段と、
を備えることを特徴とするユーザ端末。
【請求項２２】
第２の検査フィールドを抽出して該圧縮制御信号及び該第１のデータ信号を検査する第２の検査手段をさらに備える、
ことを特徴とする請求項２１に記載のユーザ端末。
【請求項２３】
不揮発性コンピュータ可読記憶媒体であって、
前記記憶媒体に機械可読指令が記憶され、前記機械可読指令は、
第１のデータ信号に対して、圧縮制御信号を生成し、前記第１のデータ信号及び前記圧縮制御信号に対して、統合チャネルエレメントを構築し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれなく、
前記統合チャネルエレメントと、他の信号を伝送するためのチャネルエレメントとを、通信リソースにおいて多重化し、割り当てられた通信リソースを用いて、該統合チャネルエレメントの信号を伝送する、
ことを完成させるように、プロセッサで実行可能であることを特徴とする不揮発性コンピュータ可読記憶媒体。
【発明の詳細な説明】
【技術分野】
【０００１】
本発明は、通信技術に関し、特に、信号伝送方法、信号復号化方法、基地局、及びユーザ端末に関する。
【背景技術】
【０００２】
通信ニーズの進展に伴い、通信は人からモノまで広がり、モノのインターネット（ＩＯＴ：Ｉｎｔｅｒｎｅｔ  Ｏｆ  Ｔｈｉｎｇｓ）という概念が現れている。１つの通信フレームワークで、如何に、人と人との通信、人と機器との通信、及び機器と機器との通信（例えば、テレビとテレビとの通信など）のそれぞれの特徴を同時に考慮するかが、現在解決すべき問題となる。
【発明の概要】
【発明が解決しようとする課題】
【０００３】
本発明の実施例は、信号伝送方法、信号復号化方法、基地局、及びユーザ端末を提供しており、制御信号のオーバーヘッドを軽減することを目的とする。
【課題を解決するための手段】
【０００４】
本願の一部の実施例における信号伝送方法は、第１のデータ信号に対して、圧縮制御信号を生成し、前記第１のデータ信号及び前記圧縮制御信号に対して、統合チャネルエレメントを構築し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれず、前記統合チャネルエレメントと、他の信号を伝送するためのチャネルエレメントとを、通信リソースにおいて多重化し、割り当てられた通信リソースを用いて、該統合チャネルエレメントの信号を伝送する、ことを含む。
【０００５】
本願の一部の実施例における信号復号化方法は、制御信号の開始位置及び信号長さに基づいて、受信された信号を復号化して、前記制御信号を得、第１の検査フィールドを抽出して該制御信号を検査し、前記第１の検査フィールドの検査をパスした場合、前記制御信号が圧縮制御信号であると決定し、該圧縮制御信号に付けられた信号長さに基づいて、該制御信号とは同一の統合チャネルエレメントに位置する第１のデータ信号を復号化し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれない、ことを含む。
【０００６】
本願の一部の実施例における基地局は、第１のデータ信号に対して、圧縮制御信号を生成し、前記第１のデータ信号及び前記圧縮制御信号に対して、統合チャネルエレメントを構築し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれない構築手段と、前記統合チャネルエレメントと、他の信号を伝送するためのチャネルエレメントとを、通信リソースにおいて多重化し、割り当てられた通信リソースを用いて、該統合チャネルエレメントの信号を伝送する多重化手段と、を備える。
【０００７】
本願の一部の実施例におけるユーザ端末は、制御信号の開始位置及び信号長さに基づいて、受信された信号を復号化して、前記制御信号を得る制御信号復号化手段と、第１の検査フィールドを抽出して該制御信号を検査し、検査結果をデータ信号復号化手段に送信する第１の検査手段と、前記第１の検査フィールドの検査をパスした場合、前記制御信号が圧縮制御信号であると決定し、該圧縮制御信号に付けられた信号長さに基づいて、該圧縮制御信号とは同一の統合チャネルエレメントに位置する第１のデータ信号を復号化し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれない前記データ信号復号化手段と、を備える。
【０００８】
本願の一部の実施例では、不揮発性コンピュータ可読記憶媒体も提供されている。前記記憶媒体に機械可読指令が記憶され、前記機械可読指令は、第１のデータ信号に対して、圧縮制御信号を生成し、前記第１のデータ信号及び前記圧縮制御信号に対して、統合チャネルエレメントを構築し、ここで、前記統合チャネルエレメントは、前記第１のデータ信号及び前記圧縮制御信号を統合したものを通信リソースにマッピングする基本単位であり、前記第１のデータ信号は、第１のユーザのデータ信号であり、前記圧縮制御信号は、前記第１のユーザの下り制御信号であり、前記圧縮制御信号には、リソースブロック割当フィールドが含まれず、前記統合チャネルエレメントと、他の信号を伝送するためのチャネルエレメントとを、通信リソースにおいて多重化し、割り当てられた通信リソースを用いて、該統合チャネルエレメントの信号を伝送する、ことを完成させるように、プロセッサで実行可能である。
【発明の効果】
【０００９】
本発明の実施例で提供された方式は、制御信号のオーバーヘッドをより良く低減させることができ、さらに、通信過程における処理遅延を低減させることができる。
【図面の簡単な説明】
【００１０】
【図１】本発明の実施例における信号伝送方法のフローの模式図である。
【図２】通常の下りリンク制御情報（ＤＣＩ：Ｄｏｗｎｌｉｎｋ  Ｃｏｎｔｒｏｌ  ｉｎｆｏｒｍａｔｉｏｎ）の構造の模式図である。
【図３】本発明の実施例における統合チャネルエレメント３００の構成の模式図である。
【図４ａ】本発明の実施例における統合チャネル設計の模式図である。
【図４ｂ】本発明の実施例における統合チャネル設計の模式図である。
【図４ｃ】本発明の実施例における統合チャネル設計の模式図である。
【図５】本発明の実施例における統合チャネルエレメントと他のチャネルエレメントとの多重化の模式図である。
【図６】本発明の実施例における統合チャネルエレメントと他のチャネルエレメントとの多重化の模式図である。
【図７】本発明の実施例における統合チャネルエレメントと他のチャネルエレメントとの多重化の模式図である。
【図８】本発明の実施例における統合チャネルエレメントと他のチャネルエレメントとの多重化の模式図である。
【図９】本発明の実施例における統合チャネルエレメントと他のチャネルエレメントとの多重化の模式図である。
【図１０】本発明の実施例におけるユーザ端末が信号の復号化を行う方法１０００のフローの模式図である。
【図１１】本発明の実施例におけるユーザ端末が信号検出を行う方法１１００のフローの模式図である。
【図１２】本発明の実施例における基地局１２００の構成の模式図である。
【図１３】本発明の実施例におけるユーザ端末１３００の構成の模式図である。
【発明を実施するための形態】
【００１１】
本発明の目的、解決手段、及びメリットをさらに明確にするために、以下、図面を参照して、本発明をさらに詳しく説明する。
【００１２】
本発明の目的、解決手段、及びメリットをさらに明確にするために、以下、図面を参照しながら、実施例を挙げて、本発明をさらに詳しく説明する。
【００１３】
本発明の実施例では、データ信号と、該データ信号の送信位置を指示するための制御信号とを統合チャネルエレメントとして組み合わせて伝送することが可能な方式が提供されている。前記統合チャネルエレメントは、第１のデータ信号及び圧縮制御信号を統合したものを通信リソースにマッピングする基本単位である。データ信号及びそれに対応する制御信号は、分離したものではなく、統合されたものであるので、制御信号のオーバーヘッドを縮減して、圧縮制御信号を用いて該データ信号を指示するようにしてもよい。一例では、前記圧縮制御信号とは、通常のリソースブロック割当（ｒｅｓｏｕｒｃｅ  ｂｌｏｃｋ  ａｓｓｉｇｎｍｅｎｔ）フィールドが含まれず、通常制御信号よりもビット数が小さい特別な種類の制御信号を指す。また、制御信号及びデータ信号が一緒にマッピングされるため、データ部分のアンテナポートが圧縮制御信号のアンテナポートと一致するので、前記圧縮制御信号には、アンテナポート指示フィールドも含まれない。さらに、該データ信号のデータサイズに基づいて、該データ信号に対して統合チャネルエレメントを用いるか否かを決定してもよい。データサイズが第１の長さ以下であるデータ信号について、このタイプのデータ信号は、通常、機器と機器との通信、又は、機器と人との通信であり、統合チャネルエレメントを用いて伝送されてもよい。
【００１４】
図１は、本発明の実施例における信号伝送方法のフローの模式図である。一例では、この方法１００は、以下の処理を含む。
【００１５】
ステップ１０１で、第１のデータ信号に対して、圧縮制御信号を生成する。ここで、前記第１のデータ信号は、第１のユーザのデータ信号であり、前記圧縮制御信号は、前記第１のユーザの下り制御信号である。
【００１６】
一例では、前記圧縮制御信号は、通常制御信号に対するものであり、通常制御信号よりもサイズが小さい。一例では、通常制御信号は、図２に示すような構造の通常下りリンク制御情報（ＤＣＩ：Ｄｏｗｎｌｉｎｋ  Ｃｏｎｔｒｏｌ  Ｉｎｆｏｒｍａｔｉｏｎ）であってもよい。具体的には、通常ＤＣＩには、キャリア指示子２０１と、リソース割当ヘッド２０２と、リソースブロック割当（ＲＢＡ）２０３と、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）における伝送電力制御（ＴＰＣ：Ｔｒａｎｓｍｉｔ  Ｐｏｗｅｒ  Ｃｏｎｔｒｏｌ）命令２０４と、下りリンク割当インデックス２０５と、ハイブリッド自動再送要求（ＨＡＲＱ：Ｈｙｂｒｉｄ  ａｕｔｏｍａｔｉｃ  ｒｅｐｅａｔ  ｒｅｑｕｅｓｔ）プロセス数２０６と、アンテナポート２０７と、伝送ブロック１  ２０８と、伝送ブロック２  ２０９と、物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）ＲＥマッピング及び擬似コロケーション指示子２１０と、ＨＡＲＱ−ＡＣＫリソース補償２１１との１１個のフィールドが含まれる。具体的な実現では、通常ＤＣＩの長さは、５２ビットである。ここで、キャリア指示子２０１、リソース割当ヘッド２０２、下りリンク割当インデックス２０５、ＨＡＲＱプロセス数２０６のうち１ビット、伝送ブロック２  ２０９、及びＨＡＲＱ−ＡＣＫリソース補償２１１は、オプションビットであり、図２において斜線で塗りつぶされたものとして示されている。指摘すべきものとして、通常ＤＣＩは、図２における各フィールドからなる情報セグメントである。横軸は、通常ＤＣＩにおける各フィールドの並び順を示す。各々のフィールドには、所定数のビットが含まれる。例えば、キャリア指示子２０１には、３つのビットがある。制御チャネルエレメント及びデータチャネルエレメントが分離した場合、通常ＤＣＩには、データ信号の位置決定及び復号化のための情報を付ける必要があることで、該通常ＤＣＩのサイズが大きく、中でもリソースブロック割当フィールド２０３に使用されるビット数が多い。指摘すべきものとして、圧縮ＤＣＩは、リソースブロック割当フィールド２０３を設ける必要がなく、アンテナポートフィールド２０７を設ける必要もないので、サイズが小さい。
【００１７】
一例では、前記第１のデータ信号のデータサイズが第１の長さ以下である場合、前記第１のデータ信号に対して、前記圧縮制御信号を生成する。
【００１８】
ステップ１０２で、前記第１のデータ信号及び前記圧縮制御信号に対して、統合チャネルエレメントを構築する。
【００１９】
一例では、前記第１の長さは、ＴＣＰ／ＩＰプロトコルで規定された最小パケット長（例えば、６４バイト、即ち、５１２ビット）であってもよい。前記第１のデータ信号が６４バイト以下である場合、前記第１のデータ信号に対して、圧縮制御信号を生成し、統合チャネルエレメントを用いて伝送する。一例では、圧縮制御信号及び第１のデータ信号が１つのサブバンド（ｓｕｂｂａｎｄ）の先頭７つのシンボルにおいて伝送可能な場合、前記統合チャネルエレメントを用いて伝送する。一例では、圧縮制御信号及び第１のデータ信号が１つのｓｕｂｂａｎｄの先頭２つ又は３つのシンボルにおいて伝送可能な場合、前記統合チャネルエレメントを用いて伝送してもよい。
【００２０】
一例では、前記第１の長さは、圧縮されたＩＰパケットの長さ、例えば、２０バイトであってもよい。前記第１のデータ信号が２０バイト以下である場合、前記第１のデータ信号に対して、圧縮制御信号を生成し、統合チャネルエレメントを用いて伝送する。
ステップ１０３で、前記統合チャネルエレメントと、他の信号を伝送するためのチャネルエレメントとを、通信リソースにおいて多重化し、割り当てられた通信リソースを用いて、該統合チャネルエレメントの信号を伝送する。一例では、前記通信リソースは、時間リソース、又は周波数リソース、又は空間分割多重化層、又はこれらの通信リソースの任意の組み合わせである。
【００２１】
一例では、ステップ１０１における第１のデータ信号に対して、圧縮制御信号を生成することは、前記圧縮制御信号に、該第１のデータ信号の長さを指示するためのデータ信号長さ指示子を設ける、ことを含む。
【００２２】
一例では、ステップ１０１における第１のデータ信号に対して、圧縮制御信号を生成することは、前記圧縮制御信号に、該第１のユーザが使用する変調符号化方式（ＭＣＳ）を指示するためのＭＣＳ情報を設け、ここで、前記ＭＣＳ情報が、完全ＭＣＳテーブル又は簡略化ＭＣＳテーブルの中から選択される、ことをさらに含む。
【００２３】
一例では、通信システムにおいて、複数レベルのＭＣＳが設けられ、合計５ビットで上記のＭＣＳレベルを指示する。一例では、完全ＭＣＳテーブルに含まれる変調符号化方式は、合計２６レベルあり、低から高へ、異なる変調次数及びチャネル符号化率に対応するため、異なるスペクトル効率に対応する。例えば、低ＭＣＳレベルでは、ＱＰＳＫ変調方法が使用され、低いチャネル符号化率が用いられ、中ＭＣＳレベルでは、１６−ＱＡＭ変調方法が使用され、中等のチャネル符号化率が用いられ、高ＭＣＳレベルでは、６４−ＱＡＭ変調方法が使用され、高いチャネル符号化率が用いられる。圧縮ＤＣＩの長さを抑えるために、５ビットで完全の２６レベルの変調符号化方式を指示する他に、２６レベルの中からサブセットを選択して、簡略化ＭＣＳテーブルを構成してもよい。一例では、高信頼性が考慮される場合、３ビットで完全ＭＣＳテーブル内の下位８レベルのＭＣＳ情報を指示してもよい。即ち、簡略化ＭＣＳテーブルには、下位８レベルのＭＣＳ情報が含まれる。一例では、信頼性と容量を両立させると、２６レベルの中から、４レベル毎に１つのＭＣＳレベルを選択し、例えば、レベル１、５、９、１３、１７、２１、２５を選択し、それらに最高レベル２６を加えて、簡略化ＭＣＳテーブルを構成してもよい。
【００２４】
一例では、ステップ１０１における第１のデータ信号に対して、圧縮制御信号を生成することは、前記圧縮制御信号に、制御信号のタイプを指示するための圧縮下りリンク制御情報（ＤＣＩ）指示子を設ける、ことをさらに含む。
【００２５】
一例では、図１における圧縮制御信号は、表１又は表２に示すようなフォーマットの圧縮ＤＣＩであってもよい。
【表１】
2019518366.tif 000003
【００２６】
指摘すべきものとして、一例では、圧縮ＤＣＩには、信号長さおよびＭＣＳ情報が含まれてもよい。一例では、信号長さは、使用される制御チャネルエレメント（ＣＣＥ）を基本単位とする。ここで、このＣＣＥは、１つの時間周波数リソースグループである。この時間周波数リソースグループの大きさは、ＴＳ３６．２１３の定義を参照すればよい。このＣＣＥが、時間領域においてシンボルをどれだけ使用できるか、周波数領域においてサブキャリアをどれだけ使用できるかは、他の定義で規定されてもよい。一例では、信号長さは、データ信号に含まれるバイト数を基本単位とし、例えば、１６バイト又は３２バイトを基本単位とする。一例では、前記圧縮ＤＣＩには、ＨＡＲＱ補償がさらに含まれる。一例では、前記圧縮ＤＣＩには、伝送されるデータ信号が新データであるか再送データであるかを指示するための新データ指示子がさらに含まれる。指摘すべきものとして、表１の冗長バージョン及びＨＡＲＱプロセス数などは、圧縮ＤＣＩにおけるオプションフィールドである。一例では、圧縮ＤＣＩに含まれる基本フィールド、即ち、圧縮ＤＣＩを構築する際に含めなければならないフィールドを表２に示す。
【表２】
2019518366.tif 000004
【００２７】
一例では、ステップ１０２における前記第１のデータ信号及び前記圧縮制御信号に対して、統合チャネルエレメントを構築することは、前記圧縮制御信号を前記統合チャネルエレメントの先頭内容に設定し、前記圧縮制御信号の正確性を検査するための第１の検査フィールドを生成し、前記第１の検査フィールドを前記圧縮制御信号の後に設け、前記第１のデータ信号を、前記統合チャネルエレメントにおいて前記第１の検査フィールドの後に位置するように設ける、ことを含む。一例では、前記第１の検査フィールドには、８ビットが使用される。一例では、４ビットの第１の検査フィールドを設けてもよい。一例では、第１の検査フィールドは、ユーザＩＤ（例えば、ＲＮＴＩ）を用いてスクランブル処理が行われることで、ユーザは、自身宛のＤＣＩを区分することができる。
【００２８】
一例では、まず、チェックサムの方法によって、４ビットの未スクランブル検査フィールドを生成する。具体的には、圧縮制御信号の全ビットを複数の４ビットグループに分ける。最後のビットグループは、４ビット未満である場合、０で埋める。そして、モジュロ２加算規則に従って、各ビットグループ内の対応する位置のビットを加算して、４ビットの未スクランブル検査フィールドを得る。一例では、８ビットＣＲＣ検査方法によって、未スクランブル検査フィールドを生成してもよい。その具体的な実現は、ＴＳ３６．２１２での記述を参照すればよい。
【００２９】
表１の圧縮ＤＣＩを例として、１６ビットのＤＣＩ情報は、ｂｎ，ｋ（ｎ＝０，・・・，３，ｋ＝０，・・・，３）と表される４つの４ビットグループに分けてもよい。ここで、ｎは、４ビットグループの順番であり、ｋは、ある４ビットグループに含まれる各ビットの順番である。これに応じて、数式１によって、チェックサムｃｋ（ｋ＝０，・・・，３）を算出してもよい。
2019518366.tif 000005
【００３０】
一例では、４ビットの未スクランブル検査フィールドは、１６ビットのユーザ識別子（例えば、ＲＮＴＩ）によってスクランブルされてもよい。この場合、１６ビットのＲＮＴＩを４つの４ビットグループに分け、そして、数式２によって、各ビットグループ内の対応するビットとｃｋとをモジュロ２加算して、前記第１の検査フィールドを得るようにしてもよい。ここで、ｐｋ（ｋ＝０，・・・，３）は、第１の検査フィールドに含まれるビットであり、ＲＮＴＩｎ，ｋ（ｎ＝０，・・・，３，ｋ＝０，・・・，３）は、ＲＮＴＩの４つの４ビットグループ内のビットであり、ｎは、ビットグループの順番であり、ｋは、ビットグループ内の各ビットの順番である。これに類似して、８ビットの未スクランブル検査フィールドは、１６ビットのＲＮＴＩによってスクランブルされてもよい。この場合、該ＲＮＴＩは、２つの８ビットグループに分けられる。
2019518366.tif 000006
【００３１】
一例では、圧縮制御信号は、未スクランブル検査フィールドと結合してスクランブルされてもよい。この場合、該未スクランブル検査フィールドは、即ち、前記第１の検査フィールドである。例えば、第１の検査フィールドの８ビット、及び、圧縮制御信号における最後の８ビットによって、１６ビットのエレメントが構成され、この１６ビットのエレメントと１６ビットのＲＮＴＩとの対応するビットをモジュロ２加算する。このように、圧縮制御信号の最後の８ビット及び第１の検査フィールドは、ＲＮＴＩによってスクランブルされる。
【００３２】
一例では、ステップ１０２における前記第１のデータ信号及び前記圧縮制御信号に対して、統合チャネルエレメントを構築することは、前記圧縮制御信号、前記第１の検査フィールド、及び前記第１のデータ信号を検査するための第２の検査フィールドを生成し、前記第２の検査フィールドを、前記統合チャネルエレメントにおいて前記第１のデータ信号の後に位置するように設ける、ことをさらに含む。一例では、前記第２の検査フィールドも、ユーザＩＤ（例えば、ＲＮＴＩ）によってスクランブルされる。
【００３３】
一例では、ＴＳ３６．２１２で記述された２４ビットＣＲＣ検査方法によって、オリジナル検査フィールドを生成してもよい。一例では、１６ビットのＲＮＴＩによってオリジナル検査フィールドをスクランブルして、前記第２の検査フィールドを生成してもよい。具体的には、ＲＮＴＩとＣＲＣ検査の先頭１６ビットとをモジュロ２加算して、ＲＮＴＩの末尾８ビットとＣＲＣ検査の末尾８ビットとをモジュロ２加算する。このように、２４ビットのＣＲＣ検査は、全てスクランブルされる。指摘すべきものとして、上記の説明では、区分するために、第１の検査フィールドに対応するスクランブル処理されていない情報ビットを未スクランブル検査フィールドと呼び、第２の検査フィールドに対応するスクランブル処理されていない情報ビットをオリジナル検査フィールドと呼んでいる。
【００３４】
図３は、本発明の実施例における統合チャネルエレメント３００の構成の模式図である。一例では、統合チャネルエレメント３００には、圧縮ＤＣＩ３０１が含まれる。該統合チャネルエレメント３００には、圧縮ＤＣＩ３０１の正確性を検査するための第１の検査フィールド３０２も含まれる。一例では、前記圧縮ＤＣＩ３０１の長さはＰ１であり、前記第１の検査フィールド３０２は、Ｐ１個のビットを検査するためのものである。一例では、前記第１の検査フィールド３０２は、４ビット又は８ビットであってもよい。一例では、前記第１の検査フィールド３０２は、無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｔｙ）を用いて、スクランブリングコード又はマスクとしてもよい。図３から分かるように、圧縮ＤＣＩ３０１の後にデータ信号３０３が伝送され、圧縮ＤＣＩ３０１において、該データ信号３０３に使用される変調符号化方式（ＭＣＳ：Ｍｏｄｕｌａｔｉｏｎ  ａｎｄ  Ｃｏｄｉｎｇ  Ｓｃｈｅｍｅ）が指示される。一例では、ユーザ端末は、完全ＭＣＳテーブル及び圧縮ＤＣＩ３０１の指示に基づいて、該データ信号３０３のＭＣＳを決定してもよい。一例では、ユーザ端末は、簡略化ＭＣＳテーブル及び圧縮ＤＣＩ３０１の指示に基づいて、該データ信号３０３のＭＣＳを決定してもよい。一例では、前記簡略化ＭＣＳテーブルは、該完全ＭＣＳテーブルのサブセットである。一例では、統合チャネルエレメント３００には、圧縮ＤＣＩ及びデータ信号を同時に検査するための第２の検査フィールド３０４も含まれる。一例では、前記第２の検査フィールド３０４は、巡回冗長検査（ＣＲＣ：Ｃｙｃｌｉｃ  Ｒｅｄｕｎｄａｎｃｙ  Ｃｈｅｃｋ）コードであり、統合チャネルエレメント３００の末尾に位置し、同様にＲＮＴＩを用いてスクランブリングコード又はマスクとしてもよい。一例では、前記統合チャネルエレメント３００は、前記第２の検査フィールド３０４以外の長さがＰ２であり、前記第２の検査フィールドは、Ｐ２個のビットを検査するためのものである。統合チャネルエレメント３００において、圧縮ＤＣＩ３０１及びデータ信号３０３は、それぞれ符号化される。ここで、圧縮ＤＣＩ３０１及び第１の検査フィールド３０２によって、第１のコードブロック３０５が構成され、データ信号３０３及び第２の検査フィールド３０４によって、第２のコードブロック３０６が構成される。一例では、第１のコードブロックの符号化方式及び変調方式は、予め設定されるが、第２のコードブロックの符号化方式及び変調方式は、ＭＣＳ指示に応じて変化可能である。ここから分かるように、上記の２つのコードブロックの符号化方式によれば、ユーザ端末は、制御チャネルにおいて、ブラインド検出を行うことができる。統合チャネルエレメント３００に第１の検査フィールド３０２及び／又は第２の検査フィールド３０４を設けることにより、圧縮ＤＣＩ３０１に複数の信頼性検査を提供している。一例では、圧縮ＤＣＩのデータ長さは、ＣＣＥを単位とする場合、使用されるＣＣＥの数が、該圧縮ＤＣＩのバイト数及びＭＣＳにより決定されてもよい。一例では、該圧縮ＤＣＩのバイト数と、ＭＣＳと、該圧縮ＤＣＩに使用される��間周波数リソースとの関係は、実際の必要に応じて、予め設定されてもよい。
【００３５】
一例では、統合チャネル設計によって、同一のユーザ又はデータストリームに対する制御チャネル及びデータチャネルを統合し、あるデータチャネルに対して、該データチャネルに対応する制御チャネルの直後の通信リソースを割り当ててもよい。ここで、該データチャネルに対応する制御チャネルとは、該データチャネルと同一のユーザ又はデータストリームに対する制御チャネルを指す。例えば、データチャネル１は、ユーザＡのデータ信号を伝送するためのものであり、制御チャネル１は、ユーザＡの制御信号を伝送するためのものである場合、データチャネル１に対応するものは、制御チャネル１である。対応するデータチャネル及び制御チャネルが隣接するため、追加シグナリングによりデータチャネルの位置を指示する必要がなく、制御チャネルにおいて伝送される制御信号のサイズを低減させる。一例では、前記制御チャネルは、圧縮ＤＣＩを伝送するためのものである。圧縮ＤＣＩは、通常ＤＣＩよりもサイズが遥かに小さい点で、通常ＤＣＩと異なる。一例では、圧縮ＤＣＩには、リソースブロック割当フィールドが含まれないことで、シグナリングオーバーヘッドが大幅に軽減される。
【００３６】
図４ａには、制御チャネル及びデータチャネルが合計８対あり、データチャネル１〜８の長さが同じである。図４ｂには、制御チャネル及びデータチャネルが合計４対あり、データチャネル１〜４の長さが同じではなく、例えば、データチャネル１よりも、データチャネル４に使用される周波数リソースが遥かに大きい。ここから分かるように、図４ａ及び図４ｂにおいて、各々のデータチャネルは、該データチャネルに対応する制御チャネルの直後に続き、１対の制御チャネル及びデータチャネルによって、１つの統合チャネルエレメントが構成され、各々の統合チャネルエレメントは、図３に示すように構築されてもよい。さらに多くのユーザ又はデータストリームに対して信号を伝送するために、複数の統合チャネルエレメントが集められ、例えば、図４ａに８個あり、図４ｂに４個ある。ユーザ端末は、制御チャネルが位置する領域に対してブラインド検出を行ってから、制御チャネルから得られた情報を用いて、データチャネルに対して復号化を行う。一例では、前記データストリームとは、各受信アンテナまで送信されたデータ信号を指す。複数の受信アンテナが設けられたユーザ端末は、複数のデータストリームを受信することができる。一例では、データチャネルが周波数領域においてサブバンド全体を使用し、時間領域において複数のシンボルを使用する統合チャネルエレメントを設計してもよい。例えば、図４ｃのデータチャネル１は、シンボル１及びシンボル２を同時に使用している。
【００３７】
一例では、ステップ１０３における前記統合チャネルエレメントと、他の信号を伝送するためのチャネルエレメントとを、通信リソースにおいて多重化することは、時間領域において、該データチャネルエレメントの後にガード期間を設け、前記第１のユーザの上り制御チャネルエレメントを前記ガード期間の後に設ける、ことを含む。一例では、ステップ１０３における前記統合チャネルエレメントと、他の信号を伝送するためのチャネルエレメントとを、通信リソースにおいて多重化することは、前記統合チャネルエレメントと前記ガード期間との間に、第２のユーザのデータ信号を伝送するための第２のデータチャネルエレメントを設ける、ことをさらに含む。
【００３８】
一例では、ステップ１０３における前記統合チャネルエレメントと、他の信号を伝送するためのチャネルエレメントとを、通信リソースにおいて多重化することは、第３のユーザの下り制御信号を伝送するための制御チャネルエレメント、及び前記統合チャネルエレメントに対して、第１の時間セグメント内の異なる周波数リソースを割り当て、前記第３のユーザのデータ信号を伝送するための第３のデータチャネルエレメントを前記第１の時間セグメントの後に設け、前記第１のユーザの上り制御チャネルエレメントをガード期間又は前記第３のデータチャネルエレメントの後に設ける、ことを含む。前記ガード期間及び第３のデータチャネルエレメントによって、前記第１のユーザの統合チャネルエレメントにおける復号化に時間を提供する。一例では、前記第１の時間セグメントとは、該制御チャネルエレメント及び前記統合チャネルエレメントに使用される時間セグメントを指す。
【００３９】
図５は、本発明の実施例における統合チャネルエレメントと他のチャネルエレメントとの多重化の模式図である。ここで、統合チャネルエレメント５０１は、ユーザ１のデータ信号及び下り制御信号を伝送するためのものであり、上り制御チャネルエレメント５０３は、ユーザ１の上り制御信号を伝送するためのものである。統合チャネルエレメント５０１と上り制御チャネルエレメント５０３との間にガード期間５０２が設けられるため、ユーザ１は、統合チャネルエレメント５０１において信号を受信すると、ガード期間５０２によって提供された時間セグメントＴ１を用いて復号化を行うことにより、上り制御チャネルエレメント５０３においてＡＣＫフィードバック又はＮＡＣＫフィードバックを提供することができる。
【００４０】
図６は、本発明の実施例における統合チャネルエレメントと他のチャネルエレメントとの多重化の模式図である。ここで、下り制御チャネルエレメント６０１は、ユーザ２の下り制御信号を伝送するためのものであり、第２のデータチャネルエレメント６０２は、ユーザ２のデータ信号を伝送するためのものである。ここから分かるように、ユーザ２の下り制御信号及びデータ信号の伝送は、分離したものである。下り制御チャネルエレメント６０１と第２のデータチャネルエレメント６０２との間に、統合チャネルエレメント５０１が設けられる。第２のデータチャネルエレメント６０２の後に、ガード期間５０２及び上り制御チャネルエレメント５０３がそれぞれ設けられる。ここから分かるように、図５に比べると、統合チャネルエレメント５０１と上り制御チャネルエレメント５０３との間に、ガード期間５０２が設けられることに加えて、第２のデータチャネルエレメント６０２も設けられることで、ユーザ１の復号化に使用可能な時間セグメントＴ１が長くなる。
【００４１】
図７は、本発明の実施例における統合チャネルエレメントと他のチャネルエレメントとの多重化の模式図である。ここで、統合チャネルエレメント５０１及び下り制御チャネルエレメント７０１は、周波数領域における多重化が実現される。統合チャネルエレメント５０１とそれに対応する上り制御チャネルエレメント５０３との間に、第３のデータチャネルエレメント７０２及びガード期間５０２が設けられる。一例では、下り制御チャネルエレメント７０１は、ユーザ３の下り制御信号を伝送するためのものであり、第３のデータチャネルエレメント７０２は、ユーザ３のデータ信号を伝送するためのものである。
【００４２】
図８は、本発明の実施例における統合チャネルエレメントと他のチャネルエレメントとの多重化の模式図である。ここで、統合チャネルエレメント１及び下り制御チャネルエレメント１は、第１の時間セグメント内の周波数リソースの多重化が実現され、統合チャネルエレメント２及び下り制御チャネルエレメント２は、第２の時間セグメント内の周波数リソースの多重化が実現される。統合チャネルエレメント１とそれに対応する上り制御チャネルエレメント１との間に、下り制御チャネルエレメント２、データチャネルエレメント、及びガード期間が設けられる。
【００４３】
図９は、本発明の実施例における統合チャネルエレメントと他のチャネルエレメントとの多重化の模式図である。ここで、下り制御チャネルエレメント９０１は、ユーザ４の下り制御信号を伝送するためのものであり、第４のデータチャネルエレメント９０２は、ユーザ４のデータ信号を伝送するためのものである。ここから分かるように、ユーザ４の下り制御信号及びデータ信号の伝送は、分離したものである。統合チャネルエレメント５０１及び下り制御チャネルエレメント９０１は、同じ時間周波数リソースに位置し、ここで、下り制御チャネルエレメント９０１に使用されるのは、第１の空間分割多重化（ＳＤＭ：Ｓｐａｃｅ  Ｄｉｖｉｓｉｏｎ  Ｍｕｌｔｉｐｌｅｘｉｎｇ）層であり、統合チャネルエレメント５０１に使用されるのは、第２のＳＤＭ層である。さらに、複数の統合チャネルエレメント５０１は、同じ時間周波数リソースに位置してもよい。ここで、下り制御チャネルエレメント９０１は、第１のＳＤＭ層を使用し、第１の統合チャネルエレメントは、第２のＳＤＭ層を使用し、第２の統合チャネルエレメントは、第３のＳＤＭ層を使用し、第１の統合チャネルエレメント及び第２の統合チャネルエレメントは、異なるＵＥに対するものである。第４のデータチャネルエレメント９０２の後に、ガード期間５０２及び上り制御チャネルエレメント５０３がそれぞれ設けられる。
【００４４】
指摘すべきものとして、５Ｇには、モバイルブロードバンドのさらなる高度化（ｅＭＢＢ：Ｅｎｈａｎｃｅｄ  Ｍｏｂｉｌｅ  Ｂｒｏａｄｂａｎｄ）、多数同時接続を実現するマシンタイプ通信（ｍＭＴＣ：Ｍａｓｓｉｖｅ  Ｍａｃｈｉｎｅ  Ｔｙｐｅ  Ｃｏｍｍｕｎｉｃａｔｉｏｎ）、超高信頼・低遅延通信（ＵＲＬＬＣ：Ｕｌｔｒａ−ｒｅｌｉａｂｌｅ  ａｎｄ  Ｌｏｗ  Ｌａｔｅｎｃｙ  Ｃｏｍｍｕｎｉｃａｔｉｏｎ）の３種類のシナリオがある。これらのシナリオの配置によって、通信システム全体は、スマートホーム、インテリジェントビル、スマートシティ、ドライバーレスカー、産業オートメーション、拡張現実、遠隔医療などを実現することができる。一例では、上記のシナリオは、処理遅延に対する要求が高い。通常、いずれの利用シナリオ及び配置シナリオにおいても、上り遅延及び下り遅延は、いずれも１ｍｓを超えてはならない。ＵＲＬＬＣは、遅延に対する要求がさらに高く、例えば、遅延が０．２５ｍｓより大きくてはならない。ｅＭＢＢユーザに対して、従来の時分割多重化（ＴＤＭ：Ｔｉｍｅ  Ｄｉｖｉｓｉｏｎ  Ｍｕｌｔｉｐｌｅｘｉｎｇ）又は周波数分割多重化（ＦＤＭ：Ｆｒｅｑｕｅｎｃｙ  Ｄｉｖｉｓｉｏｎ  Ｍｕｌｔｉｐｌｅｘｉｎｇ）を用いて、制御チャネル及びデータチャネルなどの低速チャネルを多重化してもよい。一例では、前記多重化とは、１つの高速チャネルにおいて、複数の低速チャネルの信号又はデータストリームを伝送する過程、即ち、複数の低速チャネルを１つの高速チャネルにまとめて伝送を行う過程を指す。ここで、ＴＤＭとは、高速チャネルが時間的に複数のスロットに分割され、複数の低速チャネルによって順番に使用されることを指す。ＦＤＭとは、変調によって各低速チャネルの信号を高速チャネルの各周波数帯に分布させ、重畳させることにより、高速チャネルで伝送される信号を形成することを指す。ＵＲＬＬＣユーザに対して、統合チャネル設計によって、信号伝送を行ってもよい。図１〜図９の統合チャネルエレメントの設計及び多重化によって、本発明の実施例で提供された方式は、制御信号のオーバーヘッドをより良く低減させることができ、さらに、通信過程における処理遅延を低減させることができる。
【００４５】
図１０は、本発明の実施例におけるユーザ端末が信号の復号化を行う方法１０００のフローの模式図である。一例では、この方法１０００は、以下の処理を含む。
【００４６】
ステップ１００１で、制御信号の開始位置及び信号長さに基づいて、受信された信号を復号化して、前記制御信号を得る。
【００４７】
ステップ１００２で、第１の検査フィールドを抽出して該制御信号を検査し、圧縮制御信号であるか否かを決定する。一例では、ユーザ端末は、受信された制御信号が圧縮制御信号であると仮定して、圧縮制御信号のフォーマットに従って前記第１の検査フィールドを抽出する。これは、ブラインド検出である。
【００４８】
ステップ１００３で、前記第１の検査フィールドの検査をパスした場合、該制御信号に付けられた信号長さに基づいて、該制御信号とは同一の統合チャネルエレメントに位置する第１のデータ信号を復号化する。ここで、前記第１のデータ信号は、第１のユーザのデータ信号であり、前記制御信号は、前記第１のユーザの下り制御信号である。指摘すべきものとして、前記第１の検査フィールドの検査をパスした場合、前記制御信号が圧縮制御信号であると判断することができる。
【００４９】
一例では、該方法１０００は、第２の検査フィールドを抽出して該圧縮制御信号及び該第１のデータ信号を検査するステップ１００４をさらに含む。
【００５０】
図１１は、本発明の実施例におけるユーザ端末が信号検出を行う方法１１００のフローの模式図である。一例では、この方法１１００は、以下の処理を含む。
【００５１】
ステップ１１０１で、探索空間の設定に基づいて、ＤＣＩの開始位置を決定する。一例では、前記ＤＣＩは、通常ＤＣＩであってもよいし、圧縮ＤＣＩであってもよい。一例では、前記探索空間は、ＲＲＣシグナリングによって設定された１組の時間周波数位置である。一例では、ＤＣＩは、データ伝送におけるリソース割当状況、及び復号化に関する情報を指示するためのものである。
【００５２】
ステップ１１０２で、予め設定されたＤＣＩ長さに基づいて、受信された信号に対して復調及び復号化を行う。一例では、前記ＤＣＩ長さがＬであり、該ユーザ端末は、受信された信号における前記開始位置からのＬビットを復号化する。
【００５３】
ステップ１１０３で、圧縮ＤＣＩであるか否かを判断する。圧縮ＤＣＩである場合、ステップ１１０４を実行し、圧縮ＤＣＩではない場合、ステップ１１０７を実行する。一例では、表１に示すように、圧縮ＤＣＩには圧縮ＤＣＩ指示子が付けられ、ユーザ端末は、この圧縮ＤＣＩ指示子に基づいて、ＤＣＩのタイプを判断する。指摘すべきものとして、圧縮ＤＣＩ指示子がオプションであるため、ステップ１１０３もオプションステップである。圧縮ＤＣＩには圧縮ＤＣＩ指示子が付けられない場合、ユーザ端末は、ステップ１１０４によって、ＤＣＩのタイプが圧縮ＤＣＩであるか否かを決定してもよい。
【００５４】
ステップ１１０４で、第１の検査フィールドによって、前記ＤＣＩを検査する。検査をパスした場合、該ＤＣＩが圧縮ＤＣＩであると決定し、ステップ１１０５を実行する。検査をパスしない場合、ステップ１１０７を実行する。
【００５５】
ステップ１１０５で、圧縮ＤＣＩに付けられたＭＣＳ情報及びデータ信号長さを用いて、データ信号に対して復調及び復号化を行う。
【００５６】
ステップ１１０６で、第２の検査フィールドによって、圧縮ＤＣＩ及び復号化されたデータ信号を検査し、フローを終了する。
【００５７】
ステップ１１０７で、通常ＤＣＩがあるか否かを判断する。通常ＤＣＩがある場合、ステップ１１０８を実行し、通常ＤＣＩがない場合、フローを終了する。
【００５８】
ステップ１１０８で、通常ＤＣＩの復号化処理を行い、フローを終了する。
ここから分かるように、ステップ１１０１〜１１０２において、ユーザ端末は、ＤＣＩに対してブラインド検出を行う。ステップ１１０５において、ユーザ端末は、ＤＣＩに付けられた情報に基づいて、データ信号を復号化する。
【００５９】
図１２は、本発明の実施例における基地局１２００の構成の模式図である。一例では、この基地局１２００は、構築手段１２０１と多重化手段１２０２とを備える。
【００６０】
一例では、前記構築手段１２０１は、第１のデータ信号に対して、圧縮制御信号を生成し、前記第１のデータ信号及び前記圧縮制御信号に対して、統合チャネルエレメントを構築する。ここで、前記第１のデータ信号は、第１のユーザのデータ信号であり、前記圧縮制御信号は、前記第１のユーザの下り制御信号である。一例では、下り制御信号は、該下り制御信号に対応するデータ信号の、下りチャネルにおける送信位置を指示するためのものである。これにより、ユーザ端末は、相応の位置において、該データ信号を受信することができる。一方、ユーザ端末は、上り制御信号を介して、自局の該データ信号の受信状況を基地局にフィードバックする。
【００６１】
一例では、前記多重化手段１２０２は、前記統合チャネルエレメントと、他の信号を伝送するためのチャネルエレメントとを、通信リソースにおいて多重化し、割り当てられた通信リソースを用いて、該統合チャネルエレメントの信号を伝送する。
【００６２】
一例では、前記構築手段１２０１は、前記圧縮制御信号に、該第１のデータ信号の長さを指示するためのデータ信号長さ指示子を設け、前記圧縮制御信号に、該第１のユーザが使用するＭＣＳを指示するためのＭＣＳ情報を設け、前記圧縮制御信号に、制御信号のタイプを指示するための圧縮ＤＣＩ指示子を設ける。ここで、前記ＭＣＳ情報は、完全ＭＣＳテーブル又は簡略化ＭＣＳテーブルの中から選択される。
【００６３】
一例では、前記構築手段１２０１は、前記圧縮制御信号を前記統合チャネルエレメントの先頭内容に設定し、前記圧縮制御信号の正確性を検査するための第１の検査フィールドを生成し、前記第１の検査フィールドを前記圧縮制御信号の後に設け、前記第１のデータ信号を、前記統合チャネルエレメントにおいて前記第１の検査フィールドの後に位置するように設ける。
【００６４】
一例では、前記構築手段１２０１は、さらに、前記圧縮制御信号、前記第１の検査フィールド、及び前記第１のデータ信号を検査するための第２の検査フィールドを生成し、前記第２の検査フィールドを、前記統合チャネルエレメントにおいて前記第１のデータ信号の後に位置するように設ける。
【００６５】
一例では、前記多重化手段１２０２は、時間領域において、該統合チャネルエレメントの後にガード期間を設け、前記第１のユーザの上り制御チャネルエレメントを前記ガード期間の後に設け、前記統合チャネルエレメントと前記ガード期間との間に第２のデータチャネルエレメントを設ける。ここで、前記第２のデータチャネルエレメントは、第２のユーザのデータ信号を伝送するためのものである。
【００６６】
一例では、前記多重化手段１２０２は、第１の時間セグメント内の周波数リソースを、第３のユーザの下り制御信号を伝送するための制御チャネルエレメント、及び前記統合チャネルエレメントに割り当て、前記第３のユーザのデータ信号を伝送するための第３のデータチャネルエレメントを前記第１の時間セグメントの後に設け、前記第１のユーザの上り制御チャネルエレメントをガード期間又は前記第３のデータチャネルエレメントの後に設ける。一例では、前記ガード期間とは、上り信号と下り信号との間に設けられ、前記上り信号及び前記下り信号を区切るための時間セグメントを指す。該時間セグメント内で有用の信号を伝送しない。
【００６７】
一例では、該基地局１２００は、プロセッサと、不揮発性機械可読記憶媒体と、を備える。プログラムモジュールが、該不揮発性機械可読記憶媒体に記憶され、該プロセッサで実行される。一例では、前記プログラムモジュールは、図１〜図９に示す処理を実行する。一例では、前記プログラムモジュールは、前記構築手段１２０１と前記多重化手段１２０２とを含む。
【００６８】
図１３は、本発明の実施例におけるユーザ端末１３００の構成の模式図である。一例では、このユーザ端末１３００は、制御信号復号化手段１３０１と、第１の検査手段１３０２と、データ信号復号化手段１３０３と、を備える。
【００６９】
一例では、前記制御信号復号化手段１３０１は、予め設定された制御信号の開始位置及び信号長さに基づいて、受信された信号を復号化して、前記制御信号を得る。
【００７０】
一例では、前記第１の検査手段１３０２は、第１の検査フィールドを抽出して該制御信号を検査し、検査結果を前記データ信号復号化手段１３０３に送信する。
【００７１】
一例では、前記データ信号復号化手段１３０３は、前記第１の検査フィールドの検査をパスした場合、該制御信号に付けられたデータ信号長さに基づいて、該制御信号とは同一の統合チャネルエレメントに位置する第１のデータ信号を復号化する。指摘すべきものとして、前記検査結果、前記第１の検査フィールドの検査をパスした場合、該制御信号が圧縮制御信号であることが表される。ここで、前記第１のデータ信号は、第１のユーザのデータ信号であり、前記圧縮制御信号は、前記第１のユーザの下り制御信号である。
【００７２】
一例では、前記ユーザ端末１３００は、第２の検査フィールドを抽出して該圧縮制御信号及び該第１のデータ信号を検査する第２の検査手段１３０４をさらに備える。
【００７３】
一例では、該ユーザ端末１３００は、プロセッサと、不揮発性機械可読記憶媒体と、を備える。プログラムモジュールが、該不揮発性機械可読記憶媒体に記憶され、該プロセッサで実行される。一例では、前記プログラムモジュールは、図１０〜図１１に示す処理を実行する。一例では、前記プログラムモジュールは、前記制御信号復号化手段１３０１と、前記第１の検査手段１３０２と、前記データ信号復号化手段１３０３と、前記第２検査手段１３０４と、を含む。
【００７４】
当業者であれば理解すべきものとして、本願の実施例のユーザ端末および基地局における各処理モジュールの機能は、前述した方法に関する実施例の関連説明を参照すると、理解することができ、本願の実施例のユーザ端末および基地局における各処理モジュールは、本願の実施例を実現するソフトウェアがユーザ端末および基地局で実行されることによって、実現することができる。
【００７５】
本願で提供された幾つかの実施例では、理解すべきものとして、開示された機器および方法は、別の方式で実現してもよい。上記に説明した機器に関する実施例は、模式的なものにすぎない。例えば、前記モジュールの分割は、論理的な機能の分割にすぎず、実際に実現する際に、別の分割方式であってもよい。例えば、複数のモジュールまたはアセンブリを組み合わせたり、他のシステムに組み入れたりしてもよいし、一部の構成を無視したり、実行しなかったりしてもよい。また、示されまたは説明された各構成部分の互いの結合、または直接結合、または通信接続は、若干のインターフェースを介するものであってもよく、機器またはモジュールの間接結合または通信接続は、電気的、機械的、または他の形式であってもよい。
【００７６】
当業者であれば理解できるように、上記方法に関する実施例を実現する全部または一部のステップは、プログラムによって関連のハードウェアに指令することにより行ってもよい。前述したプログラムは、コンピュータ可読記憶媒体に記憶されてもよい。該プログラムを実行する際に、上記方法に関する実施例を含むステップが実行される。前述した記憶媒体は、モバイル記憶デバイス、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクや光ディスクなどの、プログラムコードを記憶できる各種の媒体を含む。
【００７７】
リソースブロック（ＲＢ：Ｒｅｓｏｕｒｃｅ  Ｂｌｏｃｋ）は、時間領域及び周波数領域のリソース割当単位であり、周波数領域において、１つ又は複数個の連続した副搬送波（サブキャリア（ｓｕｂｃａｒｒｉｅｒ））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、１つ又は複数のＲＢは、物理リソースブロック（ＰＲＢ：Ｐｈｙｓｉｃａｌ  ＲＢ）、サブキャリアグループ（ＳＣＧ：Ｓｕｂ−Ｃａｒｒｉｅｒ  Ｇｒｏｕｐ）、リソースエレメントグループ（ＲＥＧ：Ｒｅｓｏｕｒｃｅ  Ｅｌｅｍｅｎｔ  Ｇｒｏｕｐ）、ＰＲＢペア、ＲＢペアなどと呼ばれてもよい。
【００７８】
また、リソースブロックは、１つ又は複数のリソースエレメント（ＲＥ：Ｒｅｓｏｕｒｃｅ  Ｅｌｅｍｅｎｔ）で構成されてもよい。例えば、１ＲＥは、１サブキャリア及び１シンボルの無線リソース領域であってもよい。
【００７９】
本明細書で使用する「システム」及び「ネットワーク」という用語は、互換的に使用される。
【００８０】
本明細書では、「基地局（ＢＳ：Ｂａｓｅ  Ｓｔａｔｉｏｎ）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【００８１】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び／又は基地局サブシステムのカバレッジエリアの一部又は全体を指す。
【００８２】
本明細書では、「移動局（ＭＳ：Ｍｏｂｉｌｅ  Ｓｔａｔｉｏｎ）」、「ユーザ端末（ｕｓｅｒ  ｔｅｒｍｉｎａｌ）」、「ユーザ装置（ＵＥ：Ｕｓｅｒ  Ｅｑｕｉｐｍｅｎｔ）」及び「端末」という用語は、互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【００８３】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【００８４】
また、本明細書における無線基地局は、ユーザ端末で読み替えてもよい。例えば、無線基地局及びユーザ端末間の通信を、複数のユーザ端末間（Ｄ２Ｄ：Ｄｅｖｉｃｅ−ｔｏ−Ｄｅｖｉｃｅ）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【００８５】
同様に、本明細書におけるユーザ端末は、無線基地局で読み替えてもよい。
本明細書において、基地局によって行われるとした特定動作は、場合によってはその上位ノード（ｕｐｐｅｒ  ｎｏｄｅ）によって行われることもある。基地局を有する１つ又は複数のネットワークノード（ｎｅｔｗｏｒｋ  ｎｏｄｅｓ）から成るネットワークにおいて、端末との通信のために行われる様々な動作は、基地局、基地局以外の１つ以上のネットワークノード（例えば、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ−Ｇａｔｅｗａｙ）などが考えられるが、これらに限られない）又はこれらの組み合わせによって行われ得ることは明らかである。
【００８６】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８７】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＬＴＥ−Ｂ（ＬＴＥ−Ｂｅｙｏｎｄ）、ＳＵＰＥＲ  ３Ｇ、ＩＭＴ−Ａｄｖａｎｃｅｄ、４Ｇ（４ｔｈ  ｇｅｎｅｒａｔｉｏｎ  ｍｏｂｉｌｅ  ｃｏｍｍｕｎｉｃａｔｉｏｎ  ｓｙｓｔｅｍ）、５Ｇ（５ｔｈ  ｇｅｎｅｒａｔｉｏｎ  ｍｏｂｉｌｅ  ｃｏｍｍｕｎｉｃａｔｉｏｎ  ｓｙｓｔｅｍ）、ＦＲＡ（Ｆｕｔｕｒｅ  Ｒａｄｉｏ  Ａｃｃｅｓｓ）、Ｎｅｗ−ＲＡＴ（Ｒａｄｉｏ  Ａｃｃｅｓｓ  Ｔｅｃｈｎｏｌｏｇｙ）、ＮＲ（Ｎｅｗ  Ｒａｄｉｏ）、ＮＸ（Ｎｅｗ  ｒａｄｉｏ  ａｃｃｅｓｓ）、ＦＸ（Ｆｕｔｕｒｅ  ｇｅｎｅｒａｔｉｏｎ  ｒａｄｉｏ  ａｃｃｅｓｓ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切な無線通信方法を利用するシステム及び／又はこれらに基づいて拡張された次世代システムに適用されてもよい。
【００８８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８９】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【００９０】
本明細書で使用する「判断（決定）（ｄｅｔｅｒｍｉｎｉｎｇ）」という用語は、多種多様な動作を包含する場合がある。例えば、「判断（決定）」は、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベース又は別のデータ構造での探索）、確認（ａｓｃｅｒｔａｉｎｉｎｇ）などを「判断（決定）」することであるとみなされてもよい。また、「判断（決定）」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）などを「判断（決定）」することであるとみなされてもよい。また、「判断（決定）」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などを「判断（決定）」することであるとみなされてもよい。つまり、「判断（決定）」は、何らかの動作を「判断（決定）」することであるとみなされてもよい。
【００９１】
本明細書で使用する「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び／又は光（可視及び不可視の両方）領域の波長を有する電磁エネルギーなどを使用することにより、互いに「接続」又は「結合」されると考えることができる。
【００９２】
本明細書又は特許請求の範囲で「含む（ｉｎｃｌｕｄｉｎｇ）」、「含んでいる（ｃｏｍｐｒｉｓｉｎｇ）」、及びそれらの変形が使用されている場合、これらの用語は、用語「備える」と同様に、包括的であることが意図される。さらに、本明細書あるいは特許請求の範囲において使用されている用語「又は（ｏｒ）」は、排他的論理和ではないことが意図される。
【００９３】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００９４】
２０１  キャリア指示子
２０２  リソース割当ヘッド
２０３  リソースブロック割当
２０４  ＰＵＣＣＨにおけるＴＰＣ命令
２０５  下りリンク割当インデックス
２０６  ＨＡＲＱプロセス数
２０７  アンテナポート
２０８  伝送ブロック１
２０９  伝送ブロック２
２１０  ＰＤＳＣＨ  ＲＥマッピング及び擬似コロケーション指示子
２１１  ＨＡＲＱ−ＡＣＫリソース補償
３００  統合チャネルエレメント
３０１  圧縮ＤＣＩ
３０２  第１の検査フィールド
３０３  データ信号
３０４  第２の検査フィールド
３０５  第１のコードブロック
３０６  第２のコードブロック
５０１  統合チャネルエレメント
５０２  ガード期間
５０３  上り制御チャネルエレメント
６０１  下り制御チャネルエレメント
６０２  第２のデータチャネルエレメント
７０１  下り制御チャネルエレメント
７０２  第３のデータチャネルエレメント
９０１  下り制御チャネルエレメント
９０２  第４のデータチャネルエレメント
１２００  基地局
１２０１  構築手段
１２０２  多重化手段
１３００  ユーザ端末
１３０１  制御信号復号化手段
１３０２  第１の検査手段
１３０３  データ信号復号化手段
１３０４  第２の検査手段
【図１】
2019518366.tif 000007
【図２】
2019518366.tif 000008
【図３】
2019518366.tif 000009
【図４ａ】
2019518366.tif 000010
【図４ｂ】
2019518366.tif 000011
【図４ｃ】
2019518366.tif 000012
【図５】
2019518366.tif 000013
【図６】
2019518366.tif 000014
【図７】
2019518366.tif 000015
【図８】
2019518366.tif 000016
【図９】
2019518366.tif 000017
【図１０】
2019518366.tif 000018
【図１１】
2019518366.tif 000019
【図１２】
2019518366.tif 000020
【図１３】
2019518366.tif 000021
【国際調査報告】
2019518366.tif 000022
2019518366.tif 000023
2019518366.tif 000024
2019518366.tif 000025